(57)【要約】【課題】装置の大形化を招くことなく、測定値の概要を短時間で把握可能としつつ、必要に応じて測定値を詳細に表示し得る測定装置を提供する。【解決手段】測定対象体についての電気的パラメータ（例えば、抵抗値）を測定する測定部と、測定部の測定結果に基づく測定値を表示部に数値で表示させる制御部とを備えた測定装置であって、制御部は、測定結果が予め規定された測定値範囲内（０．０９０ＭΩ以上、０．２００ＭΩ以下の範囲内）のときに小数第３位までを表示する第１の表示態様で測定値を表示部に表示させ、測定結果が測定値範囲の下限値（０．０９０ＭΩ）を下まわっているときに小数第２位までのみを表示する第２の表示態様で測定値を表示部に表示させ、測定結果が測定値範囲の上限値（０．２００ＭΩ）を超えているときに小数第１位までのみを表示する第３の表示態様で測定値を表示部に表示させる。【選択図】図２
2010156651.tif 000002
【特許請求の範囲】
【請求項１】
測定対象体についての電気的パラメータを測定する測定部と、当該測定部の測定結果に基づく測定値を表示部に数値で表示させる制御部とを備えた測定装置であって、
前記制御部は、前記測定結果が予め規定された測定値範囲内のときに小数第Ｎ位（Ｎは、自然数）までを表示する第１の表示態様で前記測定値を前記表示部に表示させ、前記測定結果が前記測定値範囲の下限値を下まわっているときに小数第Ｍ位（Ｍは、（Ｎ−１）以下の整数）までのみを表示する第２の表示態様で前記測定値を前記表示部に表示させ、前記測定結果が前記測定値範囲の上限値を超えているときに小数第Ｌ位（Ｌは、（Ｎ−１）以下の整数）までのみを表示する第３の表示態様で前記測定値を前記表示部に表示させる測定装置。
【請求項２】
前記制御部は、前記測定値を前記表示部に右寄せ表示させる請求項１記載の測定装置。
【請求項３】
前記制御部は、前記第１の表示態様で前記測定値を表示させているか否かを特定可能に報知する請求項１または２記載の測定装置。
【発明の詳細な説明】
【技術分野】
【０００１】
本発明は、測定結果に基づく測定値を表示部に数値で表示させる測定装置に関するものである。
【背景技術】
【０００２】
この種の測定装置として、測定値をデジタル表示するデジタル絶縁抵抗計（以下、単に「抵抗計」ともいう）が特許第２９２９７６０号公報に開示されている。この抵抗計は、測定値を数値（４桁のセグメント表示）で表示するデジタル表示部と、測定値をバーグラフで表示するバーグラフ表示部とが表示部内に設けられている。この場合、この種の抵抗計では、抵抗値の測定（測定値の表示）を開始してから、測定値における小数点以下の下位の表示値を正確に表示することができるようになるまでにある程度の時間を要する。このため、測定開始直後においては、測定値の下位の表示値がふらついて（測定値の下位の表示値が小刻みに変動して）測定値の読み取り（把握）が困難となっている。
【０００３】
一方、この抵抗計では、デジタル表示部に対する測定値の通常表示に加え、一例として、デジタル表示部に表示させている測定値の１／１０程度の精度でバーグラフ表示部に測定値を表示させる構成を採用している。具体的には、この抵抗計では、デジタル表示部に小数点以下の下位側の表示値まで測定値を詳細に表示させると共に、バーグラフ表示部に小数点以下の上位側の値に相当するバーによって測定値の概要を表示させる構成が採用されている。これにより、この抵抗計では、測定開始直後においてデジタル表示部に表示させた測定値における小数点以下の下位側の表示値がふらついている状態においても、バーグラフ表示部を参照することで、測定値の概要を把握すること可能となっている。
【先行技術文献】
【特許文献】
【０００４】
【特許文献１】特許第２９２９７６０号公報（第１−４頁、第２−４図）
【発明の概要】
【発明が解決しようとする課題】
【０００５】
ところが、従来の抵抗計には、以下の問題点が存在する。すなわち、従来の抵抗計では、測定値の概要を把握可能とするためのバーグラフ表示部と、詳細な測定値を把握可能とするためのデジタル表示部とが表示部内に別個に設けられている。したがって、バーグラフ表示部およびデジタル表示部の２つを表示するための広い表示領域を有する大きな表示部が必要となるため、従来の抵抗計には、装置本体が大形化しているという問題点がある。また、従来の抵抗計では、バーグラフ表示によって測定値の概要を短時間で把握させようとしている。しかしながら、実際には、極く小さなバーの点灯状態によって測定値を表示するバーグラフ表示の読み取りが困難であるため、測定値の概要を瞬間的に把握するのが困難となっているという問題点もある。
【０００６】
この場合、この種の測定装置（抵抗計）の使用形態として、例えば、「測定対象体が規格で定められた基準値（一例として、「０．１ＭΩ」）以上の抵抗値を有しているか」を検査するといった使用形態が挙げられる。このような使用形態において、測定値が基準値を大きく超えている場合（例えば、抵抗値が０．５ＭΩ弱の場合）には、その測定値が例えば「０．４８９ＭΩ」や「０．４９１ＭΩ」のいずれであっても（小数第２位や小数第３位がどのような表示値であっても）規格を満たしていることに変わりはないため、小数点以下の下位の表示値が落ち着くまで待機しなくても、上位の表示値が表示された時点において、基準値以上の抵抗値を有しているとして検査（測定処理）を終了することができる。
【０００７】
しかしながら、この種の装置を使用した測定処理に不慣れな利用者にとっては、上記の例における小数第２位や小数第３位の表示値がふらついている状態において、測定値が「０．４ＭΩ以上」であると瞬間的に把握するのが困難となっている。このため、不慣れな利用者がデジタル表示部の表示を見て「測定対象体が基準値以上の抵抗値を有している」と認識するためには、結果として、デジタル表示部に詳細な測定値が表示されるまでに要する時間（測定値における下位の表示値が落ち着いて、不慣れな利用者でも測定値を瞬間的に把握することができる状態となるまでに要する時間）と同程度の長い時間を要しているという現状がある。
【０００８】
一方、測定値における小数点以下の表示桁数を減らして（下位側の表示値を四捨五入、切り捨て、または切り上げして）、不慣れな利用者であっても測定値の概要を瞬間的に把握することができるように測定値を表示させる構成を採用する方法が考えられる。しかしながら、例えば、実際の抵抗値が「０．０９９ＭΩ」の場合には、その測定対象体が規格を満たしていないと判定され、抵抗値が「０．１０１ＭΩ」の場合には、その測定対象体が規格を満たしていると判定されることとなるため、実際の抵抗値が基準値に近い値の場合には、小数点以下の下位側の表示値についても詳細に表示させる必要がある。
【０００９】
本発明は、かかる問題点に鑑みてなされたものであり、装置の大形化を招くことなく、測定値の概要を短時間で把握可能としつつ、必要に応じて測定値を詳細に表示し得る測定装置を提供することを主目的とする。
【課題を解決するための手段】
【００１０】
上記目的を達成すべく請求項１記載の測定装置は、測定対象体についての電気的パラメータを測定する測定部と、当該測定部の測定結果に基づく測定値を表示部に数値で表示させる制御部とを備えた測定装置であって、前記制御部は、前記測定結果が予め規定された測定値範囲内のときに小数第Ｎ位（Ｎは、自然数）までを表示する第１の表示態様で前記測定値を前記表示部に表示させ、前記測定結果が前記測定値範囲の下限値を下まわっているときに小数第Ｍ位（Ｍは、（Ｎ−１）以下の整数）までのみを表示する第２の表示態様で前記測定値を前記表示部に表示させ、前記測定結果が前記測定値範囲の上限値を超えているときに小数第Ｌ位（Ｌは、（Ｎ−１）以下の整数）までのみを表示する第３の表示態様で前記測定値を前記表示部に表示させる。なお、本発明における「Ｍ」や「Ｌ」が「０」の状態（すなわち、「小数第０位までのみを表示する」との状態）は、小数点や小数部が存在しない整数部のみで測定値を表示する状態を意味する。
【００１１】
また、請求項２記載の測定装置は、請求項１記載の測定装置において、前記制御部が、前記測定値を前記表示部に右寄せ表示させる。
【００１２】
また、請求項３記載の測定装置は、請求項１または２記載の測定装置において、前記制御部が、前記第１の表示態様で前記測定値を表示させているか否かを特定可能に報知する。
【発明の効果】
【００１３】
請求項１記載の測定装置によれば、測定結果が予め規定された測定値範囲内のときに小数第Ｎ位までを表示する第１の表示態様で測定値を表示部に表示させ、測定結果が測定値範囲の下限値を下まわっているときに小数第Ｍ位までのみを表示する第２の表示態様で測定値を表示部に表示させ、測定結果が測定値範囲の上限値を超えているときに小数第Ｌ位までのみを表示する第３の表示態様で測定値を表示部に表示させることにより、測定部の測定結果が、例えば規格で定められた基準値に近い値のとき（測定値範囲内のとき）には、小数第Ｎ位までを表示する第１の表示態様で測定値が表示され、測定部の測定結果が、上記の基準値から大きく外れているとき（測定値範囲の下限値を下まわっているとき、または、測定値範囲の上限値を超えているとき）には、小数点以下の表示桁数が小数第Ｎ位までを表示する第１の表示態様よりも少ない第２の表示態様または第３の表示態様で測定値が表示されるため、デジタル表示部およびバーグラフ表示部の２つの表示領域を表示部内に別個に設ける従来の抵抗計とは異なり、測定装置の大形化を招くことなく、しかも、測定対象体についての測定結果が基準値に近いときには測定値を詳細に表示してその詳細な測定値を把握することができると共に、測定対象体についての測定結果が基準値から遠いときには、表示された概数（測定値の概要）を瞬時に読み取ることができる。
【００１４】
また、請求項２記載の測定装置によれば、測定値を表示部に右寄せ表示させることにより、第２の表示態様や第３の表示態様で表示部に測定値が表示された状態において測定値の右側（「測定値」と「単位」を示す記号との間）に不要なスペースが生じた状態（右寄せ表示しない状態）よりも測定値を確実かつ容易に読み取ることができる。
【００１５】
また、請求項３記載の測定装置によれば、第１の表示態様で測定値を表示させているか否かを特定可能に報知することにより、第２の表示態様や第３の表示態様で表示部に測定値が表示された状態において、表示されている測定値が、小数第Ｍ位や小数第Ｌ位までの測定結果に基づく測定値なのか、小数第Ｎ位以下まで求められた詳細な測定値の概要を小数第Ｍ位や小数第Ｌ位までの数値によって表示しているものなのかを直感的に認識させることができる。
【図面の簡単な説明】
【００１６】
【図１】測定装置１のブロック図である。
【図２】測定装置１による測定値の表示態様について説明するための説明図である。
【図３】測定値表示処理１０のフローチャートである。
【図４】本発明における第１の表示態様で測定値を表示している状態の表示画面図である。
【図５】本発明における第２の表示態様で測定値を表示している状態の表示画面図である。
【図６】本発明における第３の表示態様で測定値を表示している状態の表示画面図である。
【発明を実施するための形態】
【００１７】
以下、本発明に係る測定装置の実施の形態について、添付図面を参照して説明する。
【００１８】
最初に、測定装置１の構成について、添付図面を参照して説明する。
【００１９】
図１に示す測定装置１は、本発明に係る測定装置の一例であって、測定部２、操作部３、表示部４、記憶部５および制御部６を備えて測定対象体Ｘについての電圧値、電流値および抵抗値等の各種電気的パラメータを測定してその測定結果に基づく測定値を数値で表示することができるように構成されている。測定部２は、電源部、電流・電圧検出回路、Ａ／Ｄ変換回路および演算回路等（図示せず）を備え、制御部６の制御に従って測定対象体Ｘについての電気的パラメータを測定して測定データＤ１（本発明における「測定結果」の一例）を出力する。なお、以下の説明においては、本発明についての理解を容易とするために、一例として、測定対象体Ｘの抵抗値を測定する例について説明する。また、実際には、測定対象体Ｘと測定部２とを相互に接続するテストリード（測定用ケーブル）等を備えているが、その図示および説明を省略する。
【００２０】
操作部３は、測定装置１の測定モードや測定部２による測定処理の測定レンジ等を切り替える切替えスイッチ等（図示せず）を供え、スイッチ操作に応じた操作信号を制御部６に出力する。なお、測定モードや測定レンジの切替え操作、および操作に伴って測定部２や制御部６によって実行される処理については公知のため、本発明についての理解を容易とするために、これらに関する説明を省略する。表示部４は、一例として、ＬＣＤパネルで構成され、後述するように、制御部６の制御に従って測定部２の測定結果に基づく測定値を数値で表示する。なお、測定値を表示するための表示部４を備えた測定装置１を例に挙げて説明するが、外部装置としての表示器に測定値を表示させる構成を採用することもできる。記憶部５は、本発明における測定値範囲についての情報や本発明における測定値の各表示態様に関する情報で構成された表示手順データＤ０を記憶する。
【００２１】
この場合、表示手順データＤ０としては、一例として、図２に示すように、測定部２によって測定された測定対象体Ｘの抵抗値（本発明における「測定結果」）が０．０９０ＭΩ以上０．２００ＭΩ以下の範囲（本発明における「予め規定された測定値範囲」の一例）内のときには、小数第３位（「Ｎ＝３」の例）までを表示する表示態様（本発明における「第１の表示態様」の一例）で測定値を表示部４に表示させ、測定された測定対象体Ｘの抵抗値が上記の範囲の下限値（この例では、「０．０９０ＭΩ」）を下まわっているときには、上記の第１の表示態様での表示（小数第３位までの表示）よりも小数点以下の表示桁数が少ない表示であって、後述する第３の表示態様での表示（小数第１位までのみの表示）よりも小数点以下の表示桁数が多い表示（小数第２位（「Ｍ＝２」の例）までのみを表示する表示態様（本発明における「第２の表示態様」の一例））で測定値を表示部４に表示させ、測定された測定対象体Ｘの抵抗値が上記の範囲の上限値（この例では、「０．２００ＭΩ」）を超えているときには、小数第１位（「Ｌ＝１」の例）までのみを表示する表示態様（本発明における「第３の表示態様」の一例）で測定値を表示部４に表示させるとの情報が記録されて構成されている。
【００２２】
なお、上記の表示手順データＤ０は、一例として、各種の規格等に従って測定装置１の製造メーカによって規定された上記の範囲や表示態様に基づいて生成されているが、本発明における「予め規定された測定値範囲」や、各表示態様毎の小数点以下の表示桁数については、測定装置１の利用者が測定処理の開始に先立って任意に設定するように構成することもできる。制御部６は、測定装置１を総括的に制御する。具体的には、制御部６は、測定部２を制御して測定対象体Ｘについての電気的パラメータの測定を実行させると共に、後述するように、図３に示す測定値表示処理１０を実行して、測定部２から出力される測定データＤ１に基づき、表示部４に測定値を表示させるための測定値データＤ２を生成する。また、制御部６は、生成した測定値データＤ２を表示部４に出力することにより、測定部２による測定結果に基づく測定値を数値で表示させる。
【００２３】
次に、測定装置１を用いた抵抗値の測定処理について、図面を参照して説明する。
【００２４】
この測定装置１を使用して、例えば「測定対象体Ｘが規格で定められた基準値（一例として「０．１ＭΩ」）以上の抵抗値を有しているか」との検査を実行する際には、まず、測定部２を測定対象体Ｘに接続した状態において、操作部３を操作して抵抗値の測定処理を開始させる。この際に、制御部６は、操作部３からの制御信号に従い、測定部２を制御して測定対象体Ｘの抵抗値を測定させる。これに応じて、測定部２が測定対象体Ｘについての測定結果（この例では、抵抗値）を測定データＤ１として制御部６に出力する。一方、制御部６は、測定部２からの測定データＤ１の出力に伴い、図３に示す測定値表示処理１０を開始する。この測定値表示処理１０では、制御部６は、測定部２から出力された測定データＤ１（測定対象体Ｘについての測定結果）が記憶部５に記憶されている表示手順データＤ０に基づく測定値範囲（この例では、０．０９０ＭΩ以上０．２００ＭΩ以下の範囲）内の値であるか否かを判別する（ステップ１１）。
【００２５】
この際に、一例として、測定データＤ１が「０．１０１ＭΩ」との値を示しているときには（「測定結果が測定値範囲内のとき」との一例）、制御部６は、表示手順データＤ０に従い、表示手順データＤ０に基づく測定値を小数第３位までを表示する表示態様で表示させるための測定値データＤ２を生成して表示部４に出力する。この際には、図４に示すように、「０．１０１ＭΩ」との詳細な測定値２１が表示部４に右寄せ表示される（ステップ１２）。この場合、この測定装置１では、上記の例に限らず、測定データＤ１によって示される値が０．０９０ＭΩ以上、０．２００ＭΩ以下の範囲内のとき、すなわち、測定部２による測定結果が、規格で定められた基準値に近い値のときに、小数第３位までを表示する表示態様で測定値２１が表示部４に表示される。したがって、表示部４に表示された測定値２１に基づき、測定対象体Ｘが規格を満たしているか否か（基準値以上の抵抗値を有しているか否か）を的確に判断することが可能となっている。
【００２６】
一方、測定データＤ１の値が上記の測定値範囲外の値で（ステップ１１）、一例として、測定データＤ１が「０．０７５ＭΩ」との値を示しているときには（「測定結果が測定値範囲の下限値を下まわっているとき」との一例：ステップ１３）、制御部６は、表示手順データＤ０に従い、表示手順データＤ０に基づく測定値を小数第２位までのみを表示する表示態様で表示させるための測定値データＤ２を生成して表示部４に出力する。この際に、制御部６は、「０．０７５ＭΩ」との測定結果のうちの小数第３位以下の値を切り捨てて測定値データＤ２を生成する。この際には、図５に示すように、「０．０７ＭΩ」との測定値２１が表示部４に右寄せ表示される（ステップ１４）。この場合、小数第３位以下の値が切り捨てられて測定値データＤ２が生成されているため、測定部２から順次出力される測定データＤ１（測定結果）における小数第３位以下の値がふらついていたとしても、この小数第３位以下の値が非表示となっていることで、表示部４に表示された測定値２１を瞬間的に読み取ることが可能となっている。
【００２７】
また、制御部６は、測定部２による測定結果における小数点以下の最下位の表示値（小数第３位の表示値）を切り捨てて測定値の概数を表示している旨を特定可能に（本発明における「第１の表示態様」ではない表示態様で測定値を表示している旨を特定可能に）、一例として「概数表示中」との報知表示２２を点滅表示させる（ステップ１５）。これにより、報知表示２２を見た利用者は、測定値２１が実際の測定値の概数である旨を把握する。この場合、この測定装置１では、上記の例に限らず、測定データＤ１によって示される値が０．０９０ＭΩを下まわっているとき、すなわち、測定部２による測定結果が、規格で定められた基準値を大きく下まわっているときに、小数第２位までのみを表示する表示態様で測定値２１が表示部４に表示されると共に報知表示２２が点滅表示される。したがって、表示部４に表示されている測定値２１が概数である旨、および測定対象体Ｘが規格を満たしているか否か（この例では、基準値以上の抵抗値を有していない旨）を瞬時に把握することが可能となっている。
【００２８】
また、測定データＤ１の値が上記の測定値範囲外の値で（ステップ１１）、一例として、測定データＤ１が「０．４８９ＭΩ」との値を示しているときには（「測定結果が測定値範囲の上限値を超えているとき」との一例：ステップ１３）、制御部６は、表示手順データＤ０に従い、表示手順データＤ０に基づく測定値を小数第１位までのみを表示する表示態様で表示させるための測定値データＤ２を生成して表示部４に出力する。この際に、制御部６は、「０．４８９ＭΩ」との測定結果のうちの小数第２位以下の値を切り捨てて測定値データＤ２を生成する。この際には、図６に示すように、「０．４ＭΩ」との測定値２１が表示部４に右寄せ表示される（ステップ１６）。この場合、小数第２位以下の値が切り捨てられて測定値データＤ２が生成されているため、測定部２から順次出力される測定データＤ１（測定結果）における小数第２位以下の値がふらついていたとしても、小数第２位以下の値が非表示となっていることで、表示部４に表示された測定値２１を瞬間的に読み取ることが可能となっている。
【００２９】
また、制御部６は、測定部２による測定結果における小数第２位以下の表示値（小数第２位および小数第３位の表示値）を切り捨てて測定値の概数を表示している旨を特定可能に（本発明における「第１の表示態様」ではない表示態様で測定値を表示している旨を特定可能に）、一例として「概数表示中」との報知表示２２を点滅表示させる（ステップ１７）。これにより、報知表示２２を見た利用者は、測定値２１が実際の測定値の概数である旨を把握する。この場合、この測定装置１では、上記の例に限らず、測定データＤ１が示す値が０．２００ＭΩを超えているとき、すなわち、測定部２による測定結果が、規格で定められた基準値を大きく超えているときに、小数第１位までのみを表示する表示態様で測定値２１が表示部４に表示されると共に報知表示２２が点滅表示される。したがって、表示部４に表示されている測定値２１概数である旨、および測定対象体Ｘが規格を満たしているか否か（この例では、基準値以上の抵抗値を有している旨）を瞬時に把握することが可能となっている。
【００３０】
このように、この測定装置１によれば、測定部２による測定結果（測定データＤ１の値）が予め規定された測定値範囲内のとき（この例では、０．０９０ＭΩ以上０．２００ＭΩ以下の範囲内のとき）に小数第３位までを表示する第１の表示態様で測定値を表示部４に表示させ、測定結果が上記の測定値範囲の下限値（この例では、０．０９０ＭΩ）を下まわっているときに小数第２位までのみを表示する第２の表示態様で測定値を表示部４に表示させ、測定結果が上記の測定値範囲の上限値（この例では、０．２００ＭΩ）を超えているときに小数第１位までのみを表示する第３の表示態様で測定値を表示部４に表示させることにより、測定部２の測定結果（測定データＤ１の値）が、例えば規格で定められた「０．１ＭΩ」との基準値に近い値のとき（この例では、「０．０９０ＭΩ以上、０．２００ＭΩ以下の範囲内」のとき）には、小数第３位までを表示する表示態様（本発明における第１の表示態様）で測定値２１が表示され、測定部２の測定結果（測定データＤ１の値）が、上記の基準値から大きく外れているとき（この例では、「０．０９０ＭΩを下まわっている」との状態、または「０．２００ＭΩを超えている」との状態のいずれかのとき）には、小数第２位または小数第１位までのみを表示する表示態様（本発明における第２の表示態様または第３の表示態様）で測定値２１が表示されるため、デジタル表示部およびバーグラフ表示部の２つの表示領域を表示部内に別個に設ける従来の抵抗計とは異なり、測定装置１の大形化を招くことなく、しかも、測定対象体Ｘについての測定結果が基準値に近いときには測定値２１を詳細に表示してその詳細な測定値を把握することができると共に、測定対象体Ｘについての測定結果が基準値から遠いときには、表示された概数を瞬時に読み取ることができる。
【００３１】
また、この測定装置１によれば、測定値を表示部４に右寄せ表示させることにより、本発明における第２の表示態様や第３の表示態様で表示部４に測定値２１が表示された状態において測定値２１の右側（「測定値」と「単位」を示す記号との間）に不要なスペースが生じた状態（右寄せ表示しない状態）よりも測定値２１を確実かつ容易に読み取ることができる。
【００３２】
さらに、この測定装置１によれば、第１の表示態様で測定値を表示させているか否かを特定可能に報知する（この例では、第２の表示態様および第３の表示態様で測定値を表示させているときに「概数表示中」との報知表示２２を表示部４に表示させる）ことにより、本発明における第２の表示態様や第３の表示態様で表示部４に測定値２１が表示された状態において、表示されている測定値２１が、小数第２位や小数第１位までのみの測定結果に基づく測定値２１なのか、小数第３位以下まで求められた詳細な測定値の概要を小数第２位や小数第１位までのみの数値によって表示しているものなのかを直感的に認識させることができる。
【００３３】
なお、本発明は、上記の構成に限定されない。例えば、本発明における「Ｎ」、「Ｍ」および「Ｌ」をそれぞれ「３」「２」および「１」とした例について説明したが、本発明における各表示態様（上記の「Ｎ」、「Ｍ」および「Ｌ」）はこれに限定されない。また、本発明における第２の表示態様として小数第２位までのみの数値で測定値を表示すると共に（「Ｍ＝２」の例）、第２の表示態様よりも小数点以下の数値を少なくして本発明における第３の表示態様として小数第１位までのみの数値で測定値を表示する（「Ｌ＝１」の例）形態を例に挙げて説明したが、本発明はこれに限定されず、本発明における第２の表示態様および本発明における第３の表示態様の双方において同じ桁数の数値で測定値を表示する構成（「Ｍ＝Ｌ」の例）を採用することもできる。さらに、各表示態様毎に測定値を右寄せ表示する例について説明したが、本発明はこれに限定されず、測定値を右寄せ表示することなく、「．（小数点）」の表示位置を固定して測定値を表示させる構成を採用することもできる。
【００３４】
これらの各種構成を採用した場合においても、上記の測定装置１と同様にして、測定部２の測定結果（測定データＤ１の値）が、例えば規格で定められた「０．１ＭΩ」との基準値に近い値のときには、小数第Ｎ位までを表示する表示態様（本発明における第１の表示態様）で測定値２１が表示され、測定部２の測定結果（測定データＤ１の値）が、上記の基準値から大きく外れているときには、小数点以下の表示桁数が小数第Ｎ位までを表示する表示態様よりも少ない表示態様（本発明における第２の表示態様または第３の表示態様）で測定値２１が表示されるため、デジタル表示部およびバーグラフ表示部の２つの表示領域を表示部内に別個に設ける従来の抵抗計とは異なり、測定装置１の大形化を招くことなく、しかも、測定対象体Ｘについての測定結果が基準値に近いときには詳細な測定値を把握することができると共に、測定対象体Ｘについての測定結果が基準値から遠いときには、表示された概数を瞬時に読み取ることができる。
【００３５】
また、「概数表示中」との文字列からなる報知表示２２を点滅表示させることによって第１の表示態様で測定値２１を表示させているか否かを特定可能に報知する構成の測定装置１を例に挙げて説明したが、本発明はこれに限定されず、上記の報知表示２２に代えて、第１の表示態様で測定値２１を表示させているか否かを特定可能に報知するためのインジケータを点灯または消灯する構成や、第１の表示態様で表示している測定値２１自体や第２または第３の表示態様で表示している測定値２１自体を点滅表示または連続表示させることで第１の表示態様で測定値２１を表示させているか否かを特定可能に報知する構成を採用することもできる。このような構成を採用した場合においても、上記の測定装置１と同様にして、本発明における第２の表示態様や第３の表示態様で表示部４に測定値２１が表示された状態において、表示されている測定値２１が、小数第２位や小数第１位までのみの測定結果に基づく測定値２１なのか、小数第３位以下まで求められた詳細な測定値の概要を小数第２位や小数第１位までのみの数値によって表示しているものなのかを直感的に認識させることができる。
【符号の説明】
【００３６】
１  測定装置
２  測定部
３  操作部
４  表示部
５  記憶部
６  制御部
１０  測定値表示処理
２１  測定値
２２  報知表示
Ｄ０  表示手順データ
Ｄ１  測定データ
Ｄ２  測定値データ
Ｘ  測定対象体
【図１】
2010156651.tif 000003
【図２】
2010156651.tif 000004
【図３】
2010156651.tif 000005
【図４】
2010156651.tif 000006
【図５】
2010156651.tif 000007
【図６】
2010156651.tif 000008